【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
複数のシンボルを配した複数のリールを可変表示する可変表示装置を備え、スタートレバーの操作に基づいて前記複数のリールを回転させると共に内部抽選を行い、該内部抽選により入賞に当選した場合は入賞フラグが成立し、停止ボタンの停止操作に基づいて前記複数のリールの可変表示の停止結果が予め設定された有効ライン上にて、前記成立した入賞フラグに対応する停止表示態様となった場合に、該成立した入賞フラグに対応する入賞を発生させるスロットマシンにおいて、
当該スロットマシンは、ゲームの結果として前記複数のリールの可変表示の停止結果が予め定められた所定の表示態様となった場合に小役入賞を獲得しやすい小役ゲームとレギュラーボーナスとを所定の回数遊技できるビッグボーナスが発生し、該ビッグボーナス中の小役ゲームにおいて、前記複数のリールの可変表示の停止結果が予め定められた特別の表示態様となった場合にレギュラーボーナスを発生し、前記小役ゲームの最大実行回数又は前記レギュラーボーナスの最大実行回数の何れかを消化することで前記ビッグボーナスを終了するものであり、
前記複数のリールにおいて特別の停止表示態様を導出させる制御を行う可変表示制御手段と、
前記小役ゲームにて遊技者が所望の停止表示態様を導出できるように補助するための操作情報を報知する操作情報報知手段と、を備え、
前記操作情報報知手段は、前記特別の表示態様の入賞フラグが成立したときに、該特別の表示態様を導出させないための停止操作順序を報知し、
前記可変表示制御手段は、前記特別の表示態様を導出させないための停止操作順序通りに前記停止ボタンの停止操作が行われた場合は、前記特別の表示態様を導出させないことを特徴とするスロットマシン。
【請求項２】
前記可変表示制御手段は、
前記特別の表示態様の入賞フラグが成立したときに、操作順序テーブルに格納された停止操作パターンを一つ読み出し、該読み出された停止操作パターン通りに前記停止ボタンの停止操作が行われた場合に前記特別の表示態様を導出させないことを特徴とする請求項１記載のスロットマシン。
【手続補正２】
【補正対象書類名】明細書
【補正対象項目名】０００６
【補正方法】変更
【補正の内容】
【０００６】
但し、入賞フラグが立っている遊技ゲームでは、極力遊技者が入賞を獲得できるように、遊技者が停止操作するタイミングが入賞フラグに対応するシンボルを有効ライン上に停止可能なタイミングから多少ずれていても所望のシンボルを有効ライン上に停止させようとする制御（最大４コマを引き込む）、いわゆる引き込み制御が行われるようにしたスロットマシンもある。


【手続補正３】
【補正対象書類名】明細書
【補正対象項目名】００１９
【補正方法】変更
【補正の内容】
【００１９】
本発明は上記問題点に着目してなされたもので、初心者がＢＢゲーム中の小役ゲームにおいて比較的容易にリプレイ外しができるように遊技を補助して、ＢＢゲーム中の遊技に対する興趣を向上できる遊技機を提供することを目的とする。


【手続補正４】
【補正対象書類名】明細書
【補正対象項目名】００２０
【補正方法】変更
【補正の内容】
【００２０】
【課題を解決するための手段】
上記目的を達成するために、本発明は、複数のシンボルを配した複数のリールを可変表示する可変表示装置を備え、スタートレバーの操作に基づいて前記複数のリールを回転させると共に内部抽選を行い、該内部抽選により入賞に当選した場合は入賞フラグが成立し、停止ボタンの停止操作に基づいて前記複数のリールの可変表示の停止結果が予め設定された有効ライン上にて、前記成立した入賞フラグに対応する停止表示態様となった場合に、該成立した入賞フラグに対応する入賞を発生させるスロットマシンにおいて、当該スロットマシンは、ゲームの結果として前記複数のリールの可変表示の停止結果が予め定められた所定の表示態様となった場合に小役入賞を獲得しやすい小役ゲームとレギュラーボーナスとを所定の回数遊技できるビッグボーナスが発生し、該ビッグボーナス中の小役ゲームにおいて、前記複数のリールの可変表示の停止結果が予め定められた特別の表示態様となった場合にレギュラーボーナスを発生し、前記小役ゲームの最大実行回数又は前記レギュラーボーナスの最大実行回数の何れかを消化することで前記ビッグボーナスを終了するものであり、前記複数のリールにおいて特別の停止表示態様を導出させる制御を行う可変表示制御手段と、前記小役ゲームにて遊技者が所望の停止表示態様を導出できるように補助するための操作情報を報知する操作情報報知手段と、を備え、前記操作情報報知手段は、前記特別の表示態様の入賞フラグが成立したときに、該特別の表示態様を導出させないための停止操作順序を報知し、前記可変表示制御手段は、前記特別の表示態様を導出させないための停止操作順序通りに前記停止ボタンの停止操作が行われた場合は、前記特別の表示態様を導出させないようにした。


【手続補正５】
【補正対象書類名】明細書
【補正対象項目名】００２１
【補正方法】変更
【補正の内容】
【００２１】
すなわち、操作情報報知手段により、リールを停止させる順番（例えば右リール→左リール→中リール）を報知して、報知されたとおりに停止操作することによりＪＡＣインとなるシンボル列は有効ライン上に停止しないようにした。
【手続補正６】
【補正対象書類名】明細書
【補正対象項目名】００２２
【補正方法】変更
【補正の内容】
【００２２】
これにより、容易にリプレイ外しを実行することができるので、初心者でも熟練者と対等な利益を得ることができる。
【手続補正７】
【補正対象書類名】明細書
【補正対象項目名】００２３
【補正方法】変更
【補正の内容】
【００２３】
また、前記可変表示制御手段は、前記特別の表示態様の入賞フラグが成立したときに、操作順序テーブルに格納された停止操作パターンを一つ読み出し、該読み出された停止操作パターン通りに前記停止ボタンの停止操作が行われた場合に前記特別の表示態様を導出させないようにした。
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】０１２３
【補正方法】変更
【補正の内容】
【０１２３】
【発明の効果】
本発明によれば、複数のシンボルを配した複数のリールを可変表示する可変表示装置を備え、スタートレバーの操作に基づいて前記複数のリールを回転させると共に内部抽選を行い、該内部抽選により入賞に当選した場合は入賞フラグが成立し、停止ボタンの停止操作に基づいて前記複数のリールの可変表示の停止結果が予め設定された有効ライン上にて、前記成立した入賞フラグに対応する停止表示態様となった場合に、該成立した入賞フラグに対応する入賞を発生させるスロットマシンにおいて、当該スロットマシンは、ゲームの結果として前記複数のリールの可変表示の停止結果が予め定められた特別の表示態様となった場合に小役入賞を獲得しやすい小役ゲームとレギュラーボーナスとを所定の回数遊技できるビッグボーナスが発生し、該ビッグボーナス中の小役ゲームにおいて、前記複数のリールの可変表示の停止結果が予め定められた所定の表示態様（例えばリプレイ入賞のシンボル列）となった場合にレギュラーボーナスを発生し、前記小役ゲームの最大実行回数又は前記レギュラーボーナスの最大実行回数の何れかを消化することで前記ビッグボーナスを終了するものであり、前記複数のリールにおいて所定の停止表示態様を導出させる制御を行う可変表示制御手段と、前記小役ゲームにて遊技者が所望の停止表示態様を導出できるように補助するための操作情報を報知する操作情報報知手段と、を備え、前記操作情報報知手段は、前記特別の表示態様の入賞フラグが成立したときに、該特別の表示態様を導出させないための停止操作順序を報知し、前記可変表示制御手段は、前記特別の表示態様を導出させないための停止操作順序通りに前記停止ボタンの停止操作が行われた場合は、前記特別の表示態様を導出させないようにしたので、遊技者がビッグボーナス中の小役ゲームで行うリプレイ外しの手法を初心者でも容易に行うことができ、初心者と上級者が獲得できる利益の格差を小さくし、遊技に対する興趣を高めることができる。